(57)【要約】【課題】掘削壁面が容易に崩れ落ちたり、また、地下の流れや地表から地中に染み込んだ雨水により、地盤が緩み掘削壁面が崩れるおそれがなく、かつ雨水の貯留率が高く、全体の貯留量を大きくすることができ、施工に手間がかかることがない、雨水等の貯留及び／又は浸透施設を提供する。【解決手段】地面１を堀り下げて形成した雨水の貯留空間に、複数の充填部材Ａを縦横かつ上下に並べて埋設される、雨水等の貯留及び／又は浸透施設において、掘削壁面と充填部材Ａの周囲側面との間の空間に有孔のパイプ状充填部材Ｂを設けたことを特徴とする雨水等の貯留及び／又は浸透施設。【選択図】  図１
2005023589.tif 000002
【特許請求の範囲】
【請求項１】
地面を堀り下げて形成した雨水の貯留空間に、複数の充填部材Ａを縦横かつ上下に並べて埋設される、雨水等の貯留及び／又は浸透施設において、掘削壁面と充填部材Ａの周囲側面との間の空間に有孔のパイプ状充填部材Ｂを設けたことを特徴とする雨水等の貯留及び／又は浸透施設。
【請求項２】
地面を堀り下げて形成した雨水の貯留空間に、複数の充填部材Ａを縦横かつ上下に並べて埋設される、雨水等の貯留及び／又は浸透施設において、掘削壁面と充填部材Ａの周囲側面との間の空間に有孔のパイプ状充填部材Ｂを設け、充填部材Ａの周囲側面と有孔のパイプ状充填部材Ｂとの隙間に詰め部材を設けたことを特徴とする請求項１記載の雨水等の貯留及び／又は浸透施設。
【請求項３】
有孔のパイプ状充填部材Ｂが波付き管、リブ付き管、螺旋管のいずれかであることを特徴とする請求項１又は請求項２記載の雨水等の貯留及び／又は浸透施設。
【請求項４】
充填部材Ａが貯留空間に流入した雨水及び砂等を重力及び水流により所望の方向に誘導する誘導手段を備えたことを特徴とする請求項１から請求項３のいづれか一項記載の雨水等の貯留及び／又は浸透施設。
【発明の詳細な説明】
【０００１】
【発明の属する技術分野】
本発明は、雨水等を貯留及び／又は浸透する施設に関するものである。
【０００２】
【従来の技術】
従来、都市型洪水の発生を抑制する為に、雨水を一時的に貯留して地中漫透、河川放流させる雨水等の貯留及び／又は浸透施設が多く建設されており、特に、近年になって、この雨水等の貯留及び／又は浸透施設を、複数のプラスチック製の軽量な充填部材を縦横かつ上下に並べ、少なくとも一部を遮水シートで覆うことで空間を形成し、低コストで雨水等の貯留及び／又は浸透施設がつくられるようになって来ている。
このような複数の充填部材を並べた雨水等の貯留及び／又は浸透施設は、建設の際に地中に凹状に堀を設け、その後遮水シート、充填部材を充填して、貯留及び／又は浸透施設を建設する。このとき、特に堀の周囲壁が垂直に近い場合、周囲壁面が容易に崩れ落ちたり、また、地下の流れや地表から地中に染み込んだ雨水により、地盤が緩み周囲壁面が崩れるおそれがある。これを防止する為に、従来は、複数の充填部材の集合体に立ち上げられた仕切壁と上開き状に傾斜している堀の周囲壁面との間の空間に砕石や砂利などの小形固形物の集合体からなる通水槽を設ける方法が提案されている。（例えば、特許文献１参照）。
【０００３】
しかし、特許文献１に示されるような、小形固形物の集合体からなる通水槽では、その固形物の体積分の水が貯留出来ないため、貯留率が低くくなり、全体の貯留量を大きくすることができない。また、施工時も大量の小形固形物を充填する必要があり、施工に手間がかかるといった問題がある。
【特許文献１】
特開平１０−１８３６２号公報（第１頁〜第７頁）
【０００４】
【発明が解決しようとする課題】
本発明は、上記に鑑み、掘削壁面が容易に崩れ落ちたり、また、地下の流れや地表から地中に染み込んだ雨水により、地盤が緩み掘削壁面が崩れるおそれがなく、かつ雨水の貯留率が高く、全体の貯留量を大きくすることができると共に、施工に手間がかからない、雨水等の貯留及び／又は浸透施設を提供することを目的とする。
【０００５】
【課題を解決するための手段】
本発明は、上記目的を達成するためになされたものであり、請求項１の発明は、地面を堀り下げて形成した雨水の貯留空間に、複数の充填部材Ａを縦横かつ上下に並べて埋設される、雨水等の貯留及び／又は浸透施設において、掘削壁面と充填部材Ａの周囲側面との間の空間に有孔のパイプ状充填部材Ｂを設けたことを特徴とする雨水等の貯留及び／又は浸透施設である。上記の構成により、掘削壁面の崩壊を防止することが出来、かつ有孔のパイプ状充填部材Ｂも貯留空間とすることが出来るので、大きな貯留量を確保できる。
【０００６】
また、請求項２記載の発明は、さらに掘削壁面と充填部材Ａの周囲側面との間の空間に有孔のパイプ状充填部材Ｂを設け、充填部材Ａの周囲側面と有孔のパイプ状充填部材Ｂとの隙間に詰め部材を設けたことを特徴とする請求項１記載の雨水等の貯留及び／又は浸透施設である。上記の構成により、有孔のパイプ状充填部材Ｂから加わる荷重を充填部材Ａ周囲部側面全体で分散して支えることが出来、側面からの土圧に対して高い強度を確保できる。
【０００７】
また、請求項３記載の発明は、有孔のパイプ状充填部材Ｂが波付き管、リブ付き管、螺旋管のいずれかであることを特徴とする請求項１又は請求項２記載の雨水等の貯留及び／又は浸透施設である。上記の構成により、埋設強度が大きく、積み重ねることが容易になる。
【０００８】
また、請求項４記載の発明は、充填部材Ａが貯留空間に流入した雨水及び砂等を重力及び水流により所望の方向に誘導する誘導手段を備えたことを特徴とする請求項１から請求項３のいづれか一項記載の雨水等の貯留及び／又は浸透施設である。上記の構成により、メンテナンス性のよい充填部材Ａとすることが出来る。
なお、本発明において、貯留空間の周囲に透水性シートで形成して用いる場合、雨水を徐々に地面に浸透させる浸透施設となり、貯留空間の壁面を、遮水性シートで形成するか、透水性シートで形成するか、或いは下方を遮水性シートで形成し上方を透水性シートで形成するかによって、各々貯留施設、浸透施設、貯留浸透施設と機能させるものである。また、本発明における雨水とは、合流式下水道のような下水を含む雨水をも含めるものとする。
【０００９】
【発明の実施の形態】
以下、本発明に係る雨水等を貯留及び／又は浸透する施設の一実施形態を図面に基づき詳細に説明する。図１は、本発明に係る雨水等の貯留施設の断面図である。図２は、本発明に係る雨水等の貯留施設の詰め部材を用いた場合の一実施形態の断面図である。
【００１０】
図１において、雨水等の貯留施設は、地面１を掘下げて形成した貯留部１０と、貯留部１０内に水平方向に並べて設置すると共に、上下方向に重ねる多数の充填部材Ａである３０と、掘削壁面と貯留部１０の間の空間に積み重ねた有孔のパイプ状充填部材Ｂである４と、充填部材３０の最上部に載置され貯留部１０の上部を覆う被覆部材５０とを備えている。
【００１１】
図１において、貯留部１０は、地面１を例えば１〜１０ｍ程度の深さで平面形状が矩形状に掘下げて掘削部２を造成し、底面は割栗石等を敷き詰めて突き固めて基礎部３を形成している。貯留部１０の底面は、基本的には平坦面となっており、底面の長辺方向の中央部には平坦面から一段落ち込んだ凹窪部１１が形成されている。この凹窪部１１は底面の短辺方向の全幅に亘って形成されている。凹窪部１１の底面及び貯留部１０の底面全面には、遮水シート１２が敷設されている。遮水シート１２としては厚さが１．５ｍｍ以上の合成ゴム又は樹脂系シート又はアスファルト系シートを使用している。そして、貯留部１０の底面の凹窪部１１には格子状のフレーム１４が嵌め込まれ、貯留部１０の底面は全面が略平坦となっている。
【００１２】
なお、割栗石等から形成される基礎部３上に保護ボード１３を敷き、その上に遮水シート１２を敷設するようにしてもよい。また、前記した保護ボード１３の代わりに、遮水シート１２の下に必要に応じてポリエステル系不織布シート等の基礎用シート（図示せず）を敷設し、遮水シート１２を基礎部３の割栗石から保護するようにしてもよい。さらに、凹窪部は貯留部の広さに応じて複数本形成し、複数の凹窪部に充填部材３０の後述する傾斜板部で雨水を誘導するようにしてもよい。
【００１３】
前記のように略平坦とされた貯留部１０の底面に、多数の充填部材３０が水平に並べられると共に、上下に重ねられて設置される。本実施の形態では、貯留部１０は充填部材３０を１段毎に並設するスペースを有している。この状態で充填部材３０を直接積み重ねて小さいピッチとし、この上に充填部材３０と、これを連結させる連結部材３５を挟んで積み重ねて大きいピッチとしており、充填部材３０は貯留部１０内に充填されて雨水等の貯留空間を確保すると共に、上部の被覆部材５０を支持するものである。
【００１４】
貯留部１０の側面２３と地面１を掘削し形成された壁面の間には、有孔のパイプ状充填部材Ｂである４が配設される。有孔のパイプ状充填部材４は、周囲壁面が崩れるおそれをなくし、掘削した堀中の水の貯留率を大きくし、全体の貯留量を大きくする為に、貯留部１０の４つ側面と壁面の間に充填する様に、配設される。しかし、配管の施工などの理由で、配設が困難な箇所は、部分的に他の材料で充填しても良い。
【００１５】
有孔のパイプ状充填部材４の外径は、上記空間の大きさにもよるが、同一径の物でも良く、大小の混合したものであっても良い。径としては通常、５０〜３００ｍｍのものが用いられる。また、厚さは、壁面や地上からの圧力に耐えられる程度であれば良い。孔の大きさとしては通常、１０〜５０ｍｍのものが用いられる。
【００１６】
有孔のパイプ状充填部材４の材質としてはポリエチレン、ポリプロピレン、塩化ビニル、ポリエチレンテレフタレート等のプラスチックや、これらの廃プラスチック等から形成される。
【００１７】
本発明に用いられる有孔のパイプ状充填部材Ｂの形状は図６に示したように、例えば、管状、リブ付き管状、波付き管状、螺旋管状等であり、断面形状は特に限定されないが、施工性や強度などの観点から、リブ付き管状、波付き管状、螺旋管状が好ましく、特には、積層状態の安定性から螺旋管状がより好ましい。
【００１８】
有孔のパイプ状充填部材Ｂは内部に広い空間を持ち、且つ、孔により雨水等の行き来が可能であり、非常に多くの雨水等を素早く貯留することができる。またパイプ状であるので、少ない工程で上開き状に傾斜している堀の周囲壁面と充填部材Ａの周囲部側面との間に充填できる。
【００１９】
図２は、雨水等の貯留施設の詰め部材４０を用いた場合の一実施形態の断面図である。図７に本発明に用いられる一例の詰め部材の斜視図を示している。充填部材３０の周囲部側面と有孔のパイプ状充填部材４との間の隙間に詰め部材４０を設けることにより、有孔のパイプ状充填部材４から加わる荷重を充填部材３０周囲部側面全体で分散して支えることができる。これにより、側面からの土圧に対してより高い強度を確保することができる。詰め部材の断面形状は、有孔のパイプの形状や外径によるが、台形状、三角状、パイプに沿った円弧状を一部にもつ形状などが好ましい。
【００２０】
図４は、本発明に用いられる充填部材Ａの表面から見た斜視図である。図５は、本発明に用いられる充填部材Ａの裏面から見た斜視図を示す。
充填部材３０は、ポリエチレン、ポリプロピレン、塩化ビニル、ポリエチレンテレフタレート等のプラスチックや、これらの廃プラスチック等から形成され、貯留部１０の上部を覆う被覆部材５０の垂直荷重、及び水圧による水平荷重を支持し、貯留部１０の空間を確保する４本の柱状の連結部３１と、４本の連結部３１に固定され水平面に対して５度程度の角度で傾斜する傾斜板部３２とから構成されている。
【００２１】
傾斜板部３２は厚さが４〜５ｍｍ程度の肉厚の板材で形成され、流入した雨水等を所定方向に誘導する誘導手段を構成する。傾斜板部３２の傾斜方向Ｓは、矢印の先端が低い方向となっており、傾斜角度が緩やかな場合砂等が雨水と共に流れずに滞留するため、５度程度の傾斜角度が好ましい。充填部材３０の大きさは、例えば１辺が５０ｃｍ〜１ｍ程度の正方形の傾斜板部３２と、傾斜板部の四隅に上下に延びる連結部３１とから構成され、連結部は高さが１０〜１５ｃｍ程度の三角柱で形成され、１辺が５０ｃｍ〜１ｍ程度で高さが１０〜１５ｃｍ程度の直方体に納まるような形状をしている。
【００２２】
なお、充填部材３０の大きさは、１辺が３０ｃｍ程度の大きさでも、また１辺が１ｍ以上の大きさでもよい。また、充填部材３０の傾斜板部３２は平板を傾斜させた例を示したが、平板でなく傾斜方向に沿って緩やかに凹んだ、或いは緩やかに凸状に膨らんだ湾曲面でもよく、小さい段差が連続して勾配が付いた階段状の傾斜面でもよい。さらに、急勾配から緩勾配に途中で変化するような傾斜面で構成してもよい。
【００２３】
連結部３１は厚さが４〜５ｍｍ程度の肉厚の板材で形成され、大きい断面の三角パイプ状の上部柱部３１ａの下方には、上部柱部３１ａの内部に嵌合する小さい断面の三角パイプ状の下部柱部３１ｂが形成されている。したがって、充填部材３０の上部柱部３１ａに、他の充填部材３０の下部柱部３１ｂを内嵌させることにより充填部材３０同士を小さいピッチ、すなわち連結部３１の高さのピッチで積み重ねることができる。三角パイプ状の連結部３１の底面と側面には上下に貫通孔３１ｃ，３１ｄが形成され、下方の貫通孔から雨水が進入することができ、側方の貫通孔から内部の空気が逃げることができる。なお、下部柱部３１ｂは、コーナー部が切欠かれているが連続したものでもよい。また、連結部３１内の底面は土砂等を傾斜板部３２に誘導するために、側面の貫通孔方向に傾斜していることが好ましい。
【００２４】
傾斜板部３２の下面には補強部が形成され、上面は平坦で緩やかな傾斜面となっている。補強部としては、所定の間隔で一体的に縦横に立設された格子状の補強リブ３３が形成されている。この補強リブ３３は傾斜板部３２の中央部の上下幅が大きく、周辺に行くにしたがって上下幅が徐々に小さくなるように形成されている。この構成により、傾斜板部３２の上面に荷重が加わっても傾斜板部３２の変形は小さくなり、上面に施工者が載ってもひび割れ等の破損が生じることを防止できる。なお、補強リブは格子状でなくてもよいが、格子状にすると一方向のものと比較して強度が大きくなり好ましく、六角形のハニカム格子状が強度面からより好ましい。
【００２５】
本実施の形態では、図３において左端の縦一列４個の充填部材３０は雨水を誘導する傾斜方向Ｓ１が右方向に向くように、すなわち貯留部の中央の凹窪部１１に向けて誘導するように配置され、右端の縦一列４個の充填部材３０も傾斜方向Ｓ１が左方向に向いて貯留部の中央の凹窪部１１に向けて誘導するように配置されている。そして、左端から２番目の縦一列４個の充填部材３０は、上から順に傾斜方向Ｓが下向きＳ３、右向きＳ１、上向きＳ４、上向きＳ３になるように配置され、右端から２番目の縦一列４個の充填部材３０は上から順に傾斜方向Ｓが下向きＳ３、左向きＳ１、左向きＳ１、上向きＳ３になるように配置される。中央上側の充填部材３０は、傾斜方向Ｓが同図において下向きＳ２になるように配置され、中央下側の充填部材３０は左向きＳ３になるように配置されている。
【００２６】
前記の傾斜方向は以下のように決定されている。第１に充填部材の傾斜方向Ｓ１は凹窪部１１に向けられる。第２に凹窪部の上部に位置する充填部材は傾斜方向Ｓ２のように流出側に向けられる。第３に連通路であるマンホール部分では、雨水が行き止まりにならないように別の方向に傾斜方向Ｓ３のように逃がす。そして、第４に隣同士の充填部材の傾斜方向が向き合わないように傾斜方向Ｓ４とする。この結果、流出側のマンホール部分では、一部の雨水が右回りに旋回する旋回流Ｓ５が生じて徐々に傾斜板部の隙間から落下するように構成される。なお、傾斜方向Ｓ３を右向きとし、右側の充填部材の傾斜方向Ｓ４を上向きにすることにより旋回流を中央より右側に、左回りとするようにしてもよい。
【００２７】
充填部材３０は、単位体積当たりの空隙率が高いことや、実用上、十分な強度、耐久性を有することが要求されると共に、運搬施工が容易であり、維持管理が容易であることが要求され、耐荷重は例えば垂直方向は１平方メートル当たり５〜２０トン、水平方向は５〜１６トン、空隙率は９０％程度が好ましい。また、前記のように連結部３１にスリットや貫通孔を設けて内部に雨水等が入るようにして空隙率を上げることが好ましい。
【００２８】
充填部材３０が上下に積層され設置されたあと、充填部材３０の側面を覆う壁材２０が立設され、その外側に遮水シート２１が垂直方向に配置され、さらに有孔のパイプ状充填部材Ｂである４が貯留部１０の４つの外側壁面と掘削部２との間に配設される。壁材２０は、この外側に位置する遮水シート２１が貯留部１０の空間に入り込むのを防止している。遮水シート２１は貯留部１０の底面に敷いたものと同等の合成ゴム又は樹脂系シートを使用し、底面の遮水シート１２と漏水しないように、融着又は防水性の接着剤等で接合されている。遮水シート２１を砂利等の埋め戻し材２２から保護するため、遮水シート２１の外側に壁材２０と同等の保護板２３を配置してもよい。
【００２９】
貯留部１０には、周辺に降った雨水等を集める側溝等からの導水管２５が接続される。そして導水管２５の途中には泥溜め枡２６が設置され、雨水中の砂や泥が沈殿され、上澄み水が貯留部１０に導水管２５によって導入される構成となっている。導水管２５は複数本が泥溜め枡２６から延出して貯留部１０の壁材２０と遮水シート２１を貫通して等間隔に挿入されている。なお、複数の導水管２５は、その長さを変えて貯留部１０の奥に雨水を流入させるように構成してもよい。これにより、貯留部１０の長辺方向に沿って均一に雨水等を導入することができる。
【００３０】
貯留部１０の上部からオーバーフロー管２７が突出しており、貯留部１０の下部からはオリフィス管２８が突出している。オーバーフロー管２７は貯留部１０が満水に近い状態となると上部から放流するものである。オリフィス管２８は貯留部１０に溜められた雨水を徐々に流出させるものであり、オリフィスの径を調整して流出量を調整できる。貯留部１０に溜まった雨水を利用するときには、貯留部１０内の雨水をポンプで汲み上げて、植木への散水や洗車用水として利用することもできる。
【００３１】
貯留部１０の上部開口は被覆部材５０が覆っている。被覆部材５０は多数の充填部材３０の上部に載置される被覆ボード５１と、この上に敷設された防水シート５２と、この上に埋め戻された埋め戻し層５３とから構成される。被覆ボード５１は、図示していないが充填部材３０の上部の連結部が嵌合する凹部を有すると充填部材に安定して載置できて好ましい。被覆ボード５１の角型マンホール１５，１６に対応する位置に連通口（図示せず）を固定する。そして、遮水シート５２を連通口に接合すると共に、遮水シート５２と側面の遮水シート２１は重ね合わせて側面で接合する。これにより凹窪部１１は、角型マンホール１５，１６と、連通口を通して地面に開口し、連通口から洗浄水やバキューム等のホースを挿入して凹窪部１１にホースの先端を到達させることができる。連通口は通常は図示していない蓋により閉じられている。なお、遮水シート５２の上に、保護ボード５４や保護シートを敷くようにしてもよい。
【００３２】
このようにして貯留部１０は、底面の遮水シート１２と、側面の遮水シート２１とにより、雨水等を貯留することができ、遮水シート１２，２１と上面の被覆部材５０の遮水シート５２とにより内部空間が構成される。そして、被覆部材５０の埋め戻し層５３により、地面１と同じ平面に埋め戻される。なお、貯留部１０の上部の遮水シート５２を透水シートで構成し、貯留部１０の上部に降った雨水を埋め戻し層５３、透水シート５２、被覆ボード５１を通して直接、貯留部１０に貯留するようにしてもよい。また、被覆部材は前記の構成に限らず、充填部材の上部に単にコンクリート板等を並べるような構成でもよい。
【００３３】
前記の如く構成された本実施形態の雨水等の貯留浸透施設の機能について以下に説明する。
この貯留施設の周辺に雨が降り、側溝等により雨水が集められて泥溜め枡２６に流入し、ここで泥分が沈殿されて上澄み水が導水管２５から貯留部１０に導入される。貯留部１０に雨水が導入されると、上部の大きいピッチの充填部材３０で雨水及び砂や小砂利等は傾斜板部３２で中央に向けて誘導され、上段の充填部材３０から落ちた砂等は下段の充填部材３０で中央に誘導され、砂等を含む雨水は凹窪部１１の方向に誘導され落下する。そして砂等の固形分は凹窪部１１に沈殿する。従って、貯留部１０の底面全面に亘って、砂や汚泥が堆積することがなく、傾斜板部３２によって誘導された凹窪部１１に砂や汚泥が集中して堆積する。しかも、雨水が流入する際に、自動的に砂等が所定の方向に誘導され自浄されるため、固形分を充填部材から取り除くための洗浄等の操作を必要としない。
その際、貯留部１０の４つの外側壁面と掘削部２との間に配設された有孔のパイプ状充填部材Ｂにも、雨水が導入される。
【００３４】
雨水に含まれる砂や汚泥は少量であるが、貯留施設を長期間使用すると砂等は徐々に堆積して量が増していく。また、降雨が激しいときは、泥溜め枡２６を通過して流入する砂等が増える。このようにして凹窪部１１に堆積した砂等の堆積物は、地面に開口する連通口１７から目視で判断することができ、ある程度の量となった時点で連通口１７から、例えばバキューム管を角型マンホール１５，１６に挿入して砂等の堆積物を吸い出して除去する。また、一方の角型マンホール１５から高圧洗浄水を噴射し、他方の角型マンホール１６から吸い出すと効率よく堆積物を除去できる。このため、貯留部１０に砂等が堆積して内容積が減少し、雨水の貯留量が減ることを防止できる。
【００３５】
つまり、上記の充填部材によれば、雨水や砂等の固形分は誘導手段に沿って重力の作用により自動的に所定の方向に誘導され、順次下段の充填部材に移動して誘導手段は自浄される。そして、砂等を所定の方向に堆積させることができるので、メンテナンスが容易な雨水等を貯留及び／又は浸透する施設を達成できる。
【００３６】
【発明の効果】
本発明は、地面を堀り下げて形成した雨水の貯留空間に、複数の充填部材Ａを縦横かつ上下に並べて埋設される、雨水等の貯留及び／又は浸透施設であって、掘削壁面と充填部材Ａの周囲側面との間の空間に有孔のパイプ状充填部材Ｂを設けているので、掘削壁面が容易に崩れ落ちたり、また、地下の流れや地表から地中に染み込んだ雨水により、地盤が緩み掘削壁面が崩れるおそれがなく、掘削した堀中の水の貯留率が高く、全体の貯留量を大きくすることができ、施工に手間がかかることがない、雨水等の貯留及び／又は浸透施設を提供できる。
【図面の簡単な説明】
【図１】本発明に係る雨水等を貯留する施設の断面図。
【図２】本発明に係る雨水等を貯留する施設の詰め部材を用いた場合の一実施形態の断面図。
【図３】図１の被覆部材を省略した平面図。
【図４】本発明に用いられる充填部材Ａの表面から見た斜視図。
【図５】本発明に用いられる充填部材Ａの裏面から見た斜視図。
【図６】本発明に用いられる有孔のパイプ充填部材Ｂの断面図。（ａ）管状（ｂ）リブ付き管状（ｃ）波付き管状（ｄ）螺旋管状
【図７】本発明に用いられる詰め部材の斜視図。
【符号の説明】
１    地面
２    掘削部
３    基礎部
４    有孔の管状充填部材Ｂ
１０  貯留部
１１  Ｕ字溝（凹窪部）
１２  遮水シート
１４  フレーム
１５  マンホール
１７  連通孔
２０  壁材
２１  遮水シート
２２  透水シート
３０  充填部材Ａ
３１  連結部
３２  傾斜板部（誘導手段）
３３  補強リブ（補強部）
３５  連結部材
４０  詰め部材
５０  被覆部材
５１  被覆ボード
５２  遮水シート
５３  埋め戻し層
Ｓ，Ｓ１〜Ｓ４  傾斜方向（誘導方向）
Ｓ５  旋回流
【図１】
2005023589.tif 000003
【図２】
2005023589.tif 000004
【図３】
2005023589.tif 000005
【図４】
2005023589.tif 000006
【図５】
2005023589.tif 000007
【図６】
2005023589.tif 000008
【図７】
2005023589.tif 000009